【手続補正書】
【提出日】平成17年6月16日(2005.6.16)
【手続補正１】
【補正対象書類名】明細書
【補正対象項目名】特許請求の範囲
【補正方法】変更
【補正の内容】
【特許請求の範囲】
【請求項１】
遊技の制御を行う主制御手段と、該主制御手段から送信された変動パターンコマンドにより指定された変動パターンにより、表示遊技の表示制御を行う表示制御手段を備え、該表示遊技の実行結果の表示態様が予め定めた識別情報の組み合わせである特別停止結果態様になった場合に、所定の遊技価値を遊技者に付与可能な特別遊技状態を発生する遊技機において、
前記変動パターンコマンドには、１つの変動パターンコマンドに対して１つの変動パターンが設定されているものと、１つの変動パターンコマンドに対して複数の変動パターンが設定された特定変動パターンコマンドを含み、
前記変動パターンによって、前記表示遊技の実行結果を導出するまでの期間に表示するリーチ演出が決定され、該リーチ演出の種類に応じて、特別停止結果態様を実行結果として導出する信頼度は異なり、
前記特定変動パターンコマンドに対して設定された複数の変動パターンには、他のリーチ演出と比較して信頼度が高く設定された特定のリーチ演出を実行するための特定変動パターンを含み、
前記表示制御手段は、
前記変動パターンコマンドのうち予め定めた変動パターンコマンドを受信した場合に、所定値を加算する一方、前記特定のリーチ演出を実行した場合には、所定値を減算するカウンタ演算手段と、
前記カウンタ演算手段の演算結果を監視する監視手段と、
前記特定変動パターンコマンドを受信した場合、前記監視手段の監視結果に基づき異なる確率で、前記特定変動パターンを決定する特定変動パターン選択手段と、を備えたことを特徴とする遊技機。
【請求項２】
前記表示制御手段は、前記カウンタ演算手段の演算結果の増減に伴って、演算結果を示すための演出表示を行う演出表示制御手段を備えたことを特徴とする請求項１記載の遊技機。
【請求項３】
前記カウンタ演算手段は、前記監視手段の監視結果に基づき、異なる確率で所定値加算の有無を選択的に決定可能な加算選択手段を含むことを特徴とする請求項１または２記載の遊技機。
【請求項４】
前記主制御手段は、遊技者にとって有利な特別遊技状態の発生確率が高確率の高確率遊技状態と、該特別遊技状態の発生確率が低確率の低確率遊技状態を発生可能な機能と、遊技者にとって有利な特別遊技状態として、前記表示制御手段が行う前記表示制御の変動時間を短縮させる変動時間短縮制御機能と、前記表示制御手段が導出表示する表示結果を決定する表示結果決定手段を含み、
前記主制御手段から送信される前記制御コマンドには、前記特別遊技状態の前記発生確率を指定する遊技確率状態コマンドと、前記変動時間短縮を指定する変動時間短縮コマンドと、前記表示結果を指定する停止図柄コマンドを有し、
前記表示制御手段は、
前記遊技確率状態コマンドが高確率遊技状態を示すコマンドで、かつ、前記停止図柄コマンドが前記低確率遊技状態を発生可能な表示結果を示すコマンドであった場合、または、前記変動時間短縮コマンドを受信し、かつ、前記停止図柄コマンドが前記低確率遊技状態を発生可能な表示結果を示すコマンドであった場合、前記特定変動パターン選択手段が前記特定変動パターンを選択しないことを特徴とする請求項１、２または３記載の遊技機。
【請求項５】
前記演出表示制御手段は、前記カウンタ演算手段の演算結果が不足しているにもかかわらず、前記表示制御手段が受信した前記変動パターンコマンドが前記特定変動パターンコマンドの場合に、前記演算結果を充足するための演出表示を実行することを特徴とする請求項２記載の遊技機。
【手続補正２】
【補正対象書類名】明細書
【補正対象項目名】０００２
【補正方法】変更
【補正の内容】
【０００２】
【従来の技術】
この種の遊技機として従来から一般的に知られているものに、フィーバー機と称されるパチンコ機がある。フィーバー機では、遊技盤に形成された遊技領域へ打ち出した球が始動口へ入賞すると、液晶画面等から成る可変表示装置に各種図柄などの識別情報がスクロールして可変表示し、所定時間の経過後に識別情報が停止する表示遊技を実行する。そして、表示遊技が停止した際の表示結果が「３３３」や「５５５」など特定の識別情報の組み合わせのとき、大入賞口が所定回数を限度に繰り返し開閉し、遊技者に遊技価値を付与可能な特別遊技状態が発生する。
【手続補正３】
【補正対象書類名】明細書
【補正対象項目名】０００６
【補正方法】変更
【補正の内容】
【０００６】
【課題を解決するための手段】
かかる目的を達成するための本発明の要旨とするところは、次の各項の発明に存する。［１］遊技の制御を行う主制御手段（１００）と、該主制御手段（１００）から送信された変動パターンコマンドにより指定された変動パターンにより、表示遊技の表示制御を行う表示制御手段（３００）を備え、該表示遊技の実行結果の表示態様が予め定めた識別情報の組み合わせである特別停止結果態様になった場合に、所定の遊技価値を遊技者に付与可能な特別遊技状態を発生する遊技機において、
前記変動パターンコマンドには、１つの変動パターンコマンドに対して１つの変動パターンが設定されているものと、１つの変動パターンコマンドに対して複数の変動パターンが設定された特定変動パターンコマンドを含み、
前記変動パターンによって、前記表示遊技の実行結果を導出するまでの期間に表示するリーチ演出が決定され、該リーチ演出の種類に応じて、特別停止結果態様を実行結果として導出する信頼度は異なり、
前記特定変動パターンコマンドに対して設定された複数の変動パターンには、他のリーチ演出と比較して信頼度が高く設定された特定のリーチ演出を実行するための特定変動パターンを含み、
前記表示制御手段（３００）は、
前記変動パターンコマンドのうち予め定めた変動パターンコマンドを受信した場合に、所定値を加算する一方、前記特定のリーチ演出を実行した場合には、所定値を減算するカウンタ演算手段と、
前記カウンタ演算手段の演算結果を監視する監視手段と、
前記特定変動パターンコマンドを受信した場合、前記監視手段の監視結果に基づき異なる確率で、前記特定変動パターンを決定する特定変動パターン選択手段と、を備えたことを特徴とする遊技機。
【手続補正４】
【補正対象書類名】明細書
【補正対象項目名】０００７
【補正方法】変更
【補正の内容】
【０００７】
［２］前記表示制御手段（３００）は、前記カウンタ演算手段の演算結果の増減に伴って、演算結果を示すための演出表示を行う演出表示制御手段を備えたことを特徴とする［１］記載の遊技機。
【手続補正５】
【補正対象書類名】明細書
【補正対象項目名】０００８
【補正方法】変更
【補正の内容】
【０００８】
［３］前記カウンタ演算手段は、前記監視手段の監視結果に基づき、異なる確率で所定値加算の有無を選択的に決定可能な加算選択手段を含むことを特徴とする［１］または［２］記載の遊技機。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
［４］前記主制御手段（１００）は、遊技者にとって有利な特別遊技状態の発生確率が高確率の高確率遊技状態と、該特別遊技状態の発生確率が低確率の低確率遊技状態を発生可能な機能と、遊技者にとって有利な特別遊技状態として、前記表示制御手段（３００）が行う前記表示制御の変動時間を短縮させる変動時間短縮制御機能と、前記表示制御手段（３００）が導出表示する表示結果を決定する表示結果決定手段を含み、
前記主制御手段（１００）から送信される前記制御コマンドには、前記特別遊技状態の前記発生確率を指定する遊技確率状態コマンドと、前記変動時間短縮を指定する変動時間短縮コマンドと、前記表示結果を指定する停止図柄コマンドを有し、
前記表示制御手段（３００）は、
前記遊技確率状態コマンドが高確率遊技状態を示すコマンドで、かつ、前記停止図柄コマンドが前記低確率遊技状態を発生可能な表示結果を示すコマンドであった場合、または、前記変動時間短縮コマンドを受信し、かつ、前記停止図柄コマンドが前記低確率遊技状態を発生可能な表示結果を示すコマンドであった場合、前記特定変動パターン選択手段が前記特定変動パターンを選択しないことを特徴とする［１］、［２］または［３］記載の遊技機。
【手続補正９】
【補正対象書類名】明細書
【補正対象項目名】００１２
【補正方法】変更
【補正の内容】
【００１２】
［５］演出表示制御手段は、前記カウンタ演算手段の演算結果が不足しているにもかかわらず、前記表示制御手段（３００）が受信した前記変動パターンコマンドが前記特定変動パターンコマンドの場合に、前記演算結果を充足するための演出表示を実行することを特徴とする［２］記載の遊技機。
【手続補正１０】
【補正対象書類名】明細書
【補正対象項目名】００１３
【補正方法】変更
【補正の内容】
【００１３】
次に、前記各項に記載された発明の作用について説明する。  
表示制御手段（３００）は、主制御手段（１００）から送信された変動パターンコマンドにより指定された変動パターンにより、表示遊技の表示制御を行う。変動パターンコマンドには、１つの変動パターンコマンドに対して１つの変動パターンが設定されているものと、１つの変動パターンコマンドに対して複数の変動パターンが設定された特定変動パターンコマンドが含まれている。
変動パターンによって、表示遊技の実行結果を導出するまでの期間に表示するリーチ演出が決定され、該リーチ演出の種類に応じて、特別停止結果態様を実行結果として導出する信頼度は異なる。また、特定変動パターンコマンドに対して設定された複数の変動パターンには、他のリーチ演出と比較して信頼度が高く設定された特定のリーチ演出を実行するための特定変動パターンが含まれている。
【手続補正１１】
【補正対象書類名】明細書
【補正対象項目名】００１４
【補正方法】変更
【補正の内容】
【００１４】
表示制御手段（３００）のカウンタ演算手段は、変動パターンコマンドのうち予め定めた変動パターンコマンドを受信した場合には、所定値を加算する一方、特定のリーチ演出を実行した場合には、所定値を減算する。また、監視手段はカウンタ演算手段の演算結果を常に監視している。ここで、カウンタ演算手段の演算結果は、演算前の結果および演算後の結果の両方を含むものである。
【手続補正１２】
【補正対象書類名】明細書
【補正対象項目名】００１５
【補正方法】変更
【補正の内容】
【００１５】
表示制御手段（３００）が受信した変動パターンコマンドが特定変動パターンコマンドの場合には、表示制御手段（３００）は複数の変動パターンのうちいずれかを選択する。このとき、特定変動パターン選択手段は、前記カウンタ演算手段の演算結果に基づく異なる確率で、前記複数の変動パターンの中から前記特定のリーチ演出を実行するための特定変動パターンを選択する。
【手続補正１３】
【補正対象書類名】明細書
【補正対象項目名】００１６
【補正方法】変更
【補正の内容】
【００１６】
表示制御手段（３００）は変動パターンの選択結果に基づき、所定の表示を実行する。ただし、演出表示制御手段は、変動パターンコマンドに基づかないで、カウンタ演算手段の演算結果の増減に伴って、演算結果を示すための所定の演出表示を実行する。ここで、演出表示は、前記特定のリーチ演出の導出に関するものである。特定のリーチ演出とは、前述したように他のリーチ演出と比較して信頼度が高く設定されているものである。
【手続補正１４】
【補正対象書類名】明細書
【補正対象項目名】００１７
【補正方法】変更
【補正の内容】
【００１７】
具体的に、カウンタ演算手段の演算結果の増減に伴って図柄や背景図柄が変化するように、その演算結果に応じた図柄を表示してもよく、また、演算結果に対応する数の図柄を表示するようにしてもよい。演算結果の増減に伴って導出される演出表示は、前記特定のリーチ演出の導出に至るまでの期待感を継続して増大させるものであり、演算結果の増加に伴って導出される演出表示は、前記特定のリーチ演出の導出に近づいたことをその都度表示し、期待感を高めるものである。
【手続補正１５】
【補正対象書類名】明細書
【補正対象項目名】００１８
【補正方法】変更
【補正の内容】
【００１８】
前述したように、カウンタ演算手段は、変動パターンコマンドのうち予め定められた変動パターンコマンドを受信した場合に、所定値、例えば「１」を加算する。一方、カウンタ演算手段は、前記特定のリーチ演出を実行した場合に、所定値、例えば「１０」を減算する。
【手続補正１６】
【補正対象書類名】明細書
【補正対象項目名】００２４
【補正方法】変更
【補正の内容】
【００２４】
前述したように、演出表示制御手段の演出表示は、変動パターンコマンドに基づかないで所定の演出表示を実行するものである。それにより、カウンタ演算手段の演算結果が不足しているにもかかわらず、表示制御手段（３００）が受信した変動パターンコマンドが特定変動パターンコマンドの場合があり得る。このような場合には、演出表示制御手段は、カウンタ演算手段の演算結果を充足するための演出表示を実行し、演出表示制御手段による演出表示と変動パターンによる所定の表示との整合をとるようにしている。
【手続補正１７】
【補正対象書類名】明細書
【補正対象項目名】００８４
【補正方法】変更
【補正の内容】
【００８４】
表示器制御基板３００は、変動パターン選択手段と、カウンタ演算手段と、監視手段と、変動パターン表示制御手段と、演出表示制御手段とを備えている。また、変動パターン選択手段は特定変動パターン選択手段を有している。
【手続補正１８】
【補正対象書類名】明細書
【補正対象項目名】００８６
【補正方法】変更
【補正の内容】
【００８６】
カウンタ演算手段、変動パターン表示制御手段、演出表示制御手段は、同じく、表示器制御ＣＰＵ３０１、表示器制御ＲＯＭ３０２および表示器制御ＲＡＭ３０３で構成されている。
【手続補正１９】
【補正対象書類名】明細書
【補正対象項目名】００８８
【補正方法】変更
【補正の内容】
【００８８】
具体的には、ノーマルリーチ外れコマンドを受信したとき、監視手段の監視結果（カウンタ演算手段の演算結果）に基づき加算選択手段が所定値加算の有無を選択し、所定値加算有りが選択されたとき、加算する。加算される所定値は「１」である。一方、特定のリーチ演出である抽選会リーチが実行されると、所定値を減算する。減算される所定値は「１０」である。
【手続補正２０】
【補正対象書類名】明細書
【補正対象項目名】００９０
【補正方法】変更
【補正の内容】
【００９０】
特定変動パターン選択手段は、監視手段の監視結果すなわち、カウンタ演算手段の演算結果に基づき異なる確率で、特定のリーチ演出を含む特定変動パターンを選択的に決定するものである。ここで、特定のリーチ演出とは抽選会リーチである。特定変動パターンに含まれる特定のリーチ演出（抽選会リーチ）は、実行後に大当たりとなる信頼度が他のリーチ演出と比較して高く設定されている。
【手続補正２１】
【補正対象書類名】明細書
【補正対象項目名】０１５２
【補正方法】変更
【補正の内容】
【０１５２】
表示器制御基板３００が受信した変動パターンコマンドが特定変動パターンコマンドの場合には、表示器制御基板３００の変動パターン選択手段が複数の変動パターンのうちいずれかを選択する。このとき、特定変動パターン選択手段は、前記カウンタ演算手段の演算結果に基づき異なる確率で、複数の変動パターンの中から特定のリーチ演出である抽選会リーチを含む特定変動パターンを選択する。
【手続補正２２】
【補正対象書類名】明細書
【補正対象項目名】０１５７
【補正方法】変更
【補正の内容】
【０１５７】
図１６は表示遊技において、特定のリーチ演出である抽選会リーチの遷移図である。また、図１７は、抽選会リーチ開始前の態様図である。図１７に示すように、補助券は１０枚保有されると１枚の福引券に代わり、福引券１枚以上で特定のリーチ演出である抽選会リーチが実行可能になる。図１６（１）に示すように、はずれリーチ図柄が仮停止されると、図１６（２）〜（５）に示すように、抽選会リーチが実行される。抽選会リーチが実行されると、カウンタ演算手段が所定値「１０」を減算する。所定値「１０」の減算は、図１６（６）に示すように、画面中から福引券を削除することで演出表示される。
【手続補正２３】
【補正対象書類名】明細書
【補正対象項目名】０１６１
【補正方法】変更
【補正の内容】
【０１６１】
変動パターンコマンドが「４４」の場合について、さらに詳細に説明する。図１３および図１４に示すように、例えば、図１３（１）、（２）に示すように「６↓６」のリーチ表示態様を表示した後に、図１３（３）に示すように、画面上部にリーチ表示態様が移動し、画面中央にエレベーターの扉が表示されるとともに、行き先（６階〜屋上）を示す点灯箇所が可変表示された後に、図１３（４）に示すように、点灯箇所が７階で停止表示する。それにより、７階リーチになる。
【手続補正２４】
【補正対象書類名】明細書
【補正対象項目名】０１６３
【補正方法】変更
【補正の内容】
【０１６３】
また、７階リーチでは、玩具売り場（１）〜（３）が表示される。その後、再び、画面中央にエレベーターの扉が表示されるとともに、行き先（６階〜屋上）を示す点灯箇所が可変表示された後に、点灯箇所が８階で停止表示する。それにより、７階リーチの途中（抽選会リーチや、７階リーチ当たり再抽選になる前の途中）から８階リーチの途中に移動し、一見して他のリーチ演出への割り込み表示になる。このような他のリーチ演出への割り込み表示は、主基板１００で予め決定されている。
【手続補正２５】
【補正対象書類名】明細書
【補正対象項目名】０１６８
【補正方法】変更
【補正の内容】
【０１６８】
また、変動パターンコマンドが「３９」の場合は、図２０および図２１に示すように、リーチ表示態様を表示した後に、８階リーチ〜９階リーチから抽選会リーチ又は再変動後に大当たりとなる。８階リーチ、９階リーチでプレミアム演出（大当予告）がそれぞれ表示可能である。
【手続補正２６】
【補正対象書類名】明細書
【補正対象項目名】０１７１
【補正方法】変更
【補正の内容】
【０１７１】
一方、変動パターンコマンドが「１９」の場合は、図２０および図２１に示すように、リーチ表示態様を表示した後に７階リーチになり、その後、７階リーチ抽選会又は再変動後に大当たりとなる。７階リーチでプレミアム演出（大当予告）が表示可能である。
【手続補正２７】
【補正対象書類名】明細書
【補正対象項目名】０１７２
【補正方法】変更
【補正の内容】
【０１７２】
また、変動パターンコマンドが「２４」の場合は、図２０および図２１に示すように、リーチ表示態様を表示した後に８階リーチになり、その後、８階リーチ抽選会又は再変動後に大当たりとなる。８階リーチでプレミアム演出（大当予告）が表示可能である。
【手続補正２８】
【補正対象書類名】明細書
【補正対象項目名】０１７３
【補正方法】変更
【補正の内容】
【０１７３】
さらに、変動パターンコマンドが「３２」の場合は、図２０および図２１に示すように、リーチ表示態様を表示した後に９階リーチになり、その後、９階リーチ抽選会又は再変動後に大当たりとなる。９階リーチでプレミアム演出（大当予告）が表示可能である。
【手続補正２９】
【補正対象書類名】明細書
【補正対象項目名】０１７５
【補正方法】変更
【補正の内容】
【０１７５】
コマンド１９、２４、３２、２２、２９のように、ノーマルリーチからの発展型であるものに、コマンド３０、４１、３１、２６、１７がある（図２０参照）。これらはプレミアム演出を表示可能とするリーチ演出が１種類だけとなり、このリーチ演出で大当り予告を行うか否かの選択を行うことになる。
【手続補正３０】
【補正対象書類名】明細書
【補正対象項目名】０１７７
【補正方法】変更
【補正の内容】
【０１７７】
次に、各リーチ演出およびプレミアム演出表示について詳細に説明する。
７階リーチは玩具売り場をモチーフにしたリーチ演出である。エレベーターの扉が開き、玩具売り場の様子が表示されると中図柄がＵＦＯの中に表示され可変表示される。中図柄は初め高速で可変表示し、その後可変表示速度が低速になり、ゆらゆらと表示され床に着地する。中図柄が高速で可変表示されている最中に、ＵＦＯの中に停止図柄と関係ない「宇宙人」が表示された場合が、プレミアム演出である。
【手続補正３１】
【補正対象書類名】明細書
【補正対象項目名】０１７８
【補正方法】変更
【補正の内容】
【０１７８】
８階リーチは、バーゲン会場をモチーフにしたリーチ演出である。エレベーターの扉が開き、バーゲン会場ではＯＬがワゴンの中のＴシャツを１枚ずつ選んでいる様子が表示され、そこに中図柄も１つずつ表示される。その後、おばさんが登場して、ＯＬが手にしたＴシャツを横取りしようとして、２人が取り合いになり、ＯＬが勝った場合大当りとなる。おばさんが登場する前、ＯＬがＴシャツを１枚１枚選んでいるときに、通常（白）と違う色（赤）のＴシャツが表示された場合が、プレミアム演出である。
【手続補正３２】
【補正対象書類名】明細書
【補正対象項目名】０１７９
【補正方法】変更
【補正の内容】
【０１７９】
９階リーチは家電売り場をモチーフにしたリーチ演出である。エレベーターの扉が開くと、９つのテレビ画面が表示されている様子が映し出され、テレビ画面は画面が映っているものと、砂嵐状態となっているものがある。その後、砂嵐となっていたＴＶ画面も順次図柄が表示され、ダブルラインか、トリプルラインかが決定され、可変表示が開始される。（テレビ画面が図柄表示部を兼ねている）ライン決定後、中図柄が拡大され可変表示する。エレベーターの扉が開いた時、テレビ画面に停止図柄と関係のない「デパガ」（デパートの女性従業員）が表示された場合が、プレミアム表示である。
【手続補正３３】
【補正対象書類名】明細書
【補正対象項目名】０１８１
【補正方法】変更
【補正の内容】
【０１８１】
逆走リーチは、可変表示が開始すると、図柄表示部がエスカレータになり、左図柄、中図柄、右図柄が斜めにスクロールする。リーチ表示態様と同様に２つの図柄が一致した状態になると、中図柄がそれまでと逆方向（下方向）にスクロール開始して、リーチ図柄と同じ図柄が、エスカレータの流れと逆走し、一生懸命登っていく様子が表示される。最後まで転ばずに停止したら、大当りとなり、途中で転んだら外れになる。エスカレータの色は普段青色であるが、金色で表示されている場合、プレミアム演出表示となる。
【手続補正３４】
【補正対象書類名】明細書
【補正対象項目名】０１８７
【補正方法】変更
【補正の内容】
【０１８７】
【発明の効果】
本発明に係る遊技機によれば、カウンタ演算手段は、予め定めた変動パターンコマンドを受信した場合に所定値を加算する一方、特定のリーチ演出を実行した場合に所定値を減算し、主制御手段から表示制御手段が受信した変動パターンコマンドが特定変動パターンコマンドの場合に、特定変動パターン選択手段は、カウンタ演算手段の演算結果に基づく異なる確率で、複数の変動パターンの中から他のリーチ演出と比較して信頼度が高く設定された特定のリーチ演出を実行するための特定変動パターンを選択するようにしたので、特定変動パターンが選択される確率は、そのときの演算結果により変化し、表示遊技が単調でマンネリ化することを防止し、遊技者の興趣を高めることができる。
これにより、例えば、特定変動パターンコマンドが選択された場合には、カウンタ演算手段の演算結果が多いほど、特定のリーチ演出を実行するための特定変動パターンが決定されやすくなるような設定が可能となり、カウンタ演算手段の演算結果が多いほど、大当たりになり易いという期待感を遊技者に与えることができる。
【手続補正３５】
【補正対象書類名】明細書
【補正対象項目名】０１８８
【補正方法】変更
【補正の内容】
【０１８８】
また、カウンタ演算手段の演算結果の増減に伴い、所定の演出表示が実行されて、例えば、図柄や背景図柄が変化するので、特定のリーチ演出の導出に対する遊技者の期待感を増大することができる。
【手続補正３６】
【補正対象書類名】明細書
【補正対象項目名】図１６
【補正方法】変更
【補正の内容】
【図１６】
同じく表示遊技において、特定のリーチ演出である抽選会リーチの遷移図である。